(57)【要約】      （修正有）【課題】部品点数が少なく、錠剤の取出しおよび補充が容易で、容器体内部の気密性が高く、かつ、蓋部の取外しが容易な錠剤容器を提供する。【解決手段】底壁外周から周壁３を起立する容器体１と、該容器体を閉蓋する蓋体２１とからなる錠剤容器において、蓋体２１は、容器体周壁３上面に載置した蓋板外周から、該容器体周壁上部外面へ嵌合させて第１嵌合筒を垂設した第１蓋部６と、第１嵌合筒の左右両部から薄肉ヒンジ１３、１６を介して突設された第２蓋部１４および第３蓋部１７との一体成形品からなり、第１蓋部６の蓋板に単一錠剤取出用の小孔１０と、複数錠剤取出用兼錠剤補充用の大孔１１とを、それぞれ形成し、かつ、第２蓋部１４を小孔１０に、また、第３蓋部１７を大孔１１に、それぞれ閉蓋可能に形成した。【選択図】図１
2008011871.tif 000002
【特許請求の範囲】
【請求項１】
底壁２外周から周壁３を起立する容器体１と、該容器体を閉蓋する蓋体２１とからなる錠剤容器において、
上記蓋体２１は、上記容器体周壁３上面に載置した蓋板７外周から、該容器体周壁上部外面へ嵌合させて第１嵌合筒８を垂設した第１蓋部６と、上記蓋板７の左右両部から薄肉ヒンジ１３、１６を介して突設された第２蓋部１４および第３蓋部１７との一体成形品からなり、
上記第１蓋部６の蓋板７に単一錠剤取出用の小孔１０と、複数錠剤取出用兼錠剤補充用の大孔１１とを、それぞれ形成し、かつ、上記第２蓋部１４を上記小孔１０に、また、上記第３蓋部１７を上記大孔１１に、それぞれ閉蓋可能に形成した
ことを特徴とする周壁外面へ離脱不能に嵌着させた
ことを特徴とする請求項１記載の錠剤容器。
【請求項２】
上記第２蓋部１４から上記小孔１０内面へ密に嵌合させて第２嵌合筒１５を垂設するとともに、上記第３蓋部１７から上記大孔１１内面へ密に嵌合させて第３嵌合筒１８を垂設し、さらに、上記第１嵌合筒８を凹凸の嵌合手段を介して上記容器体周壁外面へ離脱不能に嵌着させたことを特徴とする請求項１記載の錠剤容器。
【請求項３】
上記第２蓋部１４および第３蓋部１７のそれぞれの先端部の幅を他部よりも小さくして指掛け部１９、２０に形成し、両指掛け部を前後にずらして配置するとともに、両指掛け部より下方の蓋板７部分を凹設して指挿入用の凹部１２に形成したことを特徴とする請求項１又は２記載の錠剤容器。  
【請求項４】
底壁３１外周から周壁３２を起立する容器体３０と、該容器体を閉蓋する蓋体４９とからなる錠剤容器において、
上記蓋体４９は、上記容器体周壁３２上面に載置した蓋板３６外周から、該容器体周壁上部外面へ嵌合させて第１嵌合筒３７を垂設した第１蓋部３５と、上記蓋板３６の左右両部の一方から薄肉ヒンジ４１を介して突設された第２蓋部４２と、該第２蓋部の先端部から薄肉ヒンジ４６を介して突設された第３蓋部４７との一体成形品からなり、
上記第１蓋部３５の蓋板３６に複数錠剤取出用兼錠剤補充用の大孔３９を、また、第２蓋部４２に単一錠剤取出用の小孔４４を、それぞれ形成し、かつ、上記第２蓋部４２を上記大孔３９に、また、上記第３蓋部４７を上記小孔４４に、それぞれ閉蓋可能に形成して、上記第２蓋部４２と第３蓋部４７とを上下に折り畳み可能に形成した
ことを特徴とする錠剤容器。
【請求項５】
上記第１蓋部３５の蓋板３６の左右両部の他方に上記第２蓋部指掛けのための指挿入凹部４０を形成するとともに、上記第２蓋部４２の基端部に上記第３蓋部４７指掛けのための切欠部を形成したことを特徴とする請求項４記載の錠剤容器。
【発明の詳細な説明】
【技術分野】
【０００１】
本発明は、錠剤を収納する錠剤容器に関する。
【背景技術】
【０００２】
錠剤容器は、一般に、底壁外周から起立する周壁の開口面を覆う蓋板外周から嵌合筒を垂下して、該嵌合筒を周壁外面に離脱可能に嵌合させるとともに、蓋板に錠剤取出用孔を形成し、かつ、蓋板を覆う蓋体の外周から嵌合筒を垂下して、該嵌合筒を周壁の外面に嵌合させるようにしており、錠剤の補充は蓋板を周壁から取外すことで行っていた(特許文献１参照)。
【特許文献１】特開２００２−２５５２５８
【発明の開示】
【発明が解決しようとする課題】
【０００３】
しかしながら、上記従来の錠剤容器は、底壁外周から周壁を起立する容器体、容器体の開口面を閉塞する蓋板および蓋板を覆う蓋体の少なくとも３つの部品から形成されているため、部品点数が多いという欠点があった。また、蓋板には単一錠剤取出用孔か、または多数錠剤取出用孔かの１種類の錠剤取出用孔しか設けられておらず、したがって、多数の錠剤を取出したい場合には、前者では不便であり、反対に単一の錠剤を取り出したい場合には、後者では不便であった。また、錠剤を補充する場合には、錠剤補充用の孔が蓋板に形成されていないため、蓋板を周壁から取外さなくてはならず、この取外しが不便であった。さらに、蓋板は周壁から取外し可能であることから、密に嵌合させることができず、したがって、錠剤収納空間は気密性が悪く、このため錠剤の劣化が早く早期破砕の原因となっていた。
【０００４】
本発明は上記問題点に鑑みてなされたもので、その目的は、部品点数が少なく、錠剤の取出しおよび補充が容易で、容器体内部の気密性が高く、蓋部の取外しが容易で、かつ、コンパクトな錠剤容器を提供することにある。
【課題を解決するための手段】
【０００５】
第１の手段として、底壁２外周から周壁３を起立する容器体１と、該容器体を閉蓋する蓋体２１とからなる錠剤容器において、
上記蓋体２１は、上記容器体周壁３上面に載置した蓋板７外周から、該容器体周壁上部外面へ嵌合させて第１嵌合筒８を垂設した第１蓋部６と、上記蓋板７の左右両部から薄肉ヒンジ１３、１６を介して突設された第２蓋部１４および第３蓋部１７との一体成形品からなり、
上記第１蓋部６の蓋板７に単一錠剤取出用の小孔１０と、複数錠剤取出用兼錠剤補充用の大孔１１とを、それぞれ形成し、かつ、上記第２蓋部１４を上記小孔１０に、また、上記第３蓋部１７を上記大孔１１に、それぞれ閉蓋可能に形成したことを特徴とする。
【０００６】
第２の手段として、上記第２蓋部１４から上記小孔１０内面へ密に嵌合させて第２嵌合筒１５を垂設するとともに、上記第３蓋部１７から上記大孔１１内面へ密に嵌合させて第３嵌合筒１８を垂設し、さらに、上記第１嵌合筒８を凹凸の嵌合手段を介して上記容器体周壁外面へ離脱不能に嵌着させたことを特徴とする。
【０００７】
第３の手段として、上記第２蓋部１４および第３蓋部１７のそれぞれの先端部の幅を他部よりも小さくして指掛け部１９、２０に形成し、両指掛け部を前後にずらして配置するとともに、両指掛け部より下方の蓋板７部分を凹設して指挿入用の凹部１２に形成したことを特徴とする。
【０００８】
第４の手段として、底壁３１外周から周壁３２を起立する容器体３０と、該容器体を閉蓋する蓋体４９とからなる錠剤容器において、
上記蓋体４９は、上記容器体周壁３２上面に載置した蓋板３６外周から、該容器体周壁上部外面へ嵌合させて第１嵌合筒３７を垂設した第１蓋部３５と、上記蓋板の左右両部の一方から薄肉ヒンジ４１を介して突設された第２蓋部４２と、該第２蓋部の先端部から薄肉ヒンジ４６を介して突設された第３蓋部４７との一体成形品からなり、
上記第１蓋部３５の蓋板３６に複数錠剤取出用兼錠剤補充用の大孔３９を、また、第２蓋部４２に単一錠剤取出用の小孔４４を、それぞれ形成し、かつ、上記第２蓋部４２を上記大孔３９に、また、上記第３蓋部４７を上記小孔４４に、それぞれ閉蓋可能に形成して、上記第２蓋部４２と第３蓋部４７とを上下に折り畳み可能に形成したことを特徴とする。
【０００９】
第５の手段として、上記第１蓋部３５の蓋板３６の左右両部の他方に上記第２蓋部指掛けのための指挿入凹部４０を形成するとともに、上記第２蓋部４２の基端部に上記第３蓋部４７指掛けのための切欠部を形成したことを特徴とする。
【発明の効果】
【００１０】
本発明は、蓋体は、第１蓋部６、第２蓋部１４および第３蓋部１７の一体成形品からなり、したがって、全体としては容器体と蓋体との２部品であり、このように部品点数が少ないため、部品管理が容易であるとともに、蓋体は一体成形であるとともに離脱不能であるから、紛失するといったおそれもない。
【００１１】
また、本発明では、蓋板７に単一錠剤取出用の小孔１０と、複数錠剤取出用兼錠剤補充用の大孔１１とが形成されているため、単一の錠剤を取り出したい場合と、複数の錠剤を取り出したい場合とで小孔と大孔とを選択することができ、したがって、錠剤の取出しが容易である。また、複数錠剤取出用の大孔は錠剤補充用として使用可能であり、したがって、錠剤補充の際に、蓋板を容器体から取外す必要がなく、このため錠剤補充が容易である。
【００１２】
さらに、本発明は、小孔内面へ密に嵌合させる第２嵌合筒１５と、大孔内面へ密に嵌合させる第３嵌合筒１８とを、それぞれ設けるとともに、第１嵌合筒８を凹凸の嵌合手段を介して容器体周壁上部外面へ離脱不能に嵌着させたので、気密性が高く、しかも、第２および第３嵌合筒は小孔および大孔内面に嵌合させられるため、繰り返しの使用においても両嵌合筒が拡開することがなく、したがって、経年の使用においても気密性が低下することがない。
【００１３】
さらに、本発明は、閉蓋時における第１蓋部指掛け部１９、２０より下方の蓋板部分を凹設して指挿入用の凹部１２に形成したので、該凹部に指を差し込んで第２蓋部１４または第３蓋部１７の下面に引っ掛けることが可能であるから、第２または第３蓋部の開蓋が容易である。
【００１４】
さらに、本発明は、第２蓋部と第３蓋部とを折り畳み可能に形成したので、容器のコンパクト化を図ることができる。
【００１５】
さらに、本発明は、蓋板に第２蓋部指掛けのための指挿入凹部を形成するとともに、第２蓋部に第３蓋部指掛けのための切欠部を形成したので、これら指挿入凹部および切欠部を利用して、第２蓋部および第３蓋部の先端部下面に指を掛けることができ、したがって、両蓋部の開蓋が容易である。
【発明を実施するための最良の形態】
【００１６】
以下、図面に示す実施の形態を参照しながら本発明を説明する。
【００１７】
１は容器体で、底壁２の外周から周壁３を起立して、該周壁上部を下部よりも薄肉部に形成することで、該周壁上部外面に上向き段部４を周設するとともに、薄肉部の下部外面を小外径部５に形成する。容器体周壁３の横断面形状は、図１において左右に長い長方形の右端に位置する前後一対の角部を切除することで、右端部が三角形状に形成された船形状に形成されている。
【００１８】
このように形成することにより、後述するように、容器体１の右端部を下方に傾斜させると、容器体１内の錠剤が後述の単一錠剤取出用の小孔１０下方に集中されるため、錠剤の取出しが容易になる。
【００１９】
６は第１蓋部で、容器体周壁３上面に載置した蓋板７外周から第１嵌合筒８を垂下して、該第１嵌合筒下端を上向き段部４上面に当接させるとともに、該第１嵌合筒８の下部内面を小内径部に形成して、該小内径部を小外径部５に離脱不能に嵌着させる。さらに、蓋板７下面から容器体周壁３の上部内面に嵌合させて嵌合周壁９を垂下する。
【００２０】
蓋板７の右側部分、すなわち、容器体１の三角形状部より上方の蓋板７部分に単一錠剤取出用の小孔１０を形成するとともに、蓋板７の左側部分に複数錠剤取出用兼錠剤補充用の大孔１１を形成する。また、後述する閉蓋状態における２点鎖線で示す第２蓋部１４と第３蓋部１７とのそれぞれの指掛け部１９、２０よりも下方の蓋板７部分を凹設して指挿入用の凹部１２に形成する。
【００２１】
第１嵌合筒８の上方右端から第１薄肉ヒンジ１３を介して第２蓋部１４を突設し、かつ、閉蓋状態における第２蓋部１４の基端部下面から小孔１０内面に気密に嵌合可能な第２嵌合筒１５を垂設するとともに、第１嵌合筒８の上方左端から第２薄肉ヒンジ１６を介して第３蓋部１７を突設し、かつ、閉蓋状態における第３蓋部１７の基端部下面から大孔１１内面に気密に嵌合可能な第３嵌合筒１８を垂設する。
【００２２】
第２蓋部１４の先端部の幅は基端部よりも小さくして第１指掛け部１９に形成され、また、第３蓋部１７の先端部の幅は基端部よりも小さくして第２指掛け部２０に形成されている。これら第１および第２指掛け部は、閉蓋時において、前後方向にずれるように配置されており、上記のように、両指掛け部より下方の蓋板部分は指挿入用の凹部１２に形成されている。  
【００２３】
これら第１蓋部６、第２蓋部１４および第３蓋部１７は一体の蓋体２１を形成する。
【００２４】
次に作用について説明する。
【００２５】
１つの錠剤を取り出すには、第３蓋部１７を閉蓋して、第３嵌合筒１８を大孔１１内面に嵌合させた状態で、第２蓋部１４を開蓋して、第２嵌合筒１５を小孔１０から離脱させる。
【００２６】
次いで、容器体１の右側を下方に傾斜させて、容器体１内の錠剤を小孔１０の下方に集中させる。この状態で第２蓋部１４を開蓋することにより、１つの錠剤の取出しが可能になる。
【００２７】
複数ないし多数の錠剤を取り出すには、上記とは反対に、第２蓋部１４を閉蓋して、第３蓋部１７を開蓋する。次いで、容器体１の左側を下方に傾斜させれば、一度に複数ないし多数の錠剤を取り出すことができる。第３蓋部１７の開蓋は、容器体１を傾斜させた後でもよい。
【００２８】
一方、容器体１内に錠剤を補充する場合には、小孔１０を閉蓋し、大孔１１を開蓋して、大孔から錠剤を補充する。このように錠剤の補充は大孔を利用して行うことができ、蓋板７を開蓋する必要がないため、蓋板７は容器体１に対して離脱不能に嵌合させることができ、したがって、容器体の気密性が保持される。
【００２９】
小孔１０および大孔１１は、第２嵌合筒１５および第３嵌合筒１８を小孔および大孔の内面に密接に嵌合させるため、開閉蓋を繰り返してもこれら嵌合筒が拡開することがなく、したがって、気密性に優れている。
【００３０】
第２蓋部１４および第３蓋部１７を開蓋するには、指を凹部１２に差し込んでそれぞれの蓋部の指掛け部１９、２０に引っ掛けて持ち上げればよい。
【００３１】
図３ないし図８は、第２の実施形態を示すもので、３０は容器体で、底壁３１の外周から周壁３２を起立して、該周壁上部を下部よりも薄肉部に形成することで、該周壁上部外面に上向き段部３３を周設するとともに、薄肉部の下部外面を小外径部３４に形成する。容器体３０の横断面形状は図示例では正方形状に形成されている。
【００３２】
３５は第１蓋部で、容器体周壁３２上面に載置した蓋板３６外周から第１嵌合筒３７を垂下して、該第１嵌合筒下端を上向き段部３３上面に当接させるとともに、該第１嵌合筒３７の下部内面を小内径部に形成して、該小内径部を小外径部３４に離脱不能に嵌着させる。また、蓋板３６下面から容器体周壁３２の上部内面に密接嵌合させて嵌合周壁３８を垂下する。さらに、蓋板３６の中央部に複数錠剤取出用兼錠剤補充用の大孔３９を形成するとともに、該大孔の左側の蓋板３６部分に指挿入凹部４０を形成する。
【００３３】
蓋板３６の右端から第１薄肉ヒンジ４１を介して第２蓋部４２を突設し、かつ、該第２蓋部４２の中央部下面から大孔３９内面に気密に嵌合可能な第２嵌合筒４３を垂設するとともに、該第２嵌合筒で囲まれた蓋板３６部分に単一錠剤取出用の小孔４４を形成する。該小孔は、図３に示すように、第２嵌合筒４３で囲まれた蓋板３６部分に形成する。さらに、図５に示すように、第２蓋部４２の左側の端部の中央に切欠部４５を形成する。第２蓋部４２の左右方向中央部の前後幅は、図３に示すように、容器体３０の前後幅よりやや小さく形成されている。
【００３４】
第２蓋部４２の先端部から、図３に示すように、第２薄肉ヒンジ４６を介して第３蓋部４７が突設されており、該第３蓋部上面から小孔４４内面に気密に嵌合可能な第３嵌合筒４８が起立されている。第３蓋部４７の前後幅は第２蓋部４２の前後幅より小さく形成されている。
【００３５】
これら第１蓋部３５、第２蓋部４２および第３蓋部４７は一体成形品としての蓋体４９を形成する。
【００３６】
次に作用について説明する。
【００３７】
１つの錠剤を取り出すには、図３および図４に示すように、第２蓋部４２を閉蓋して、第２嵌合筒４３を大孔３９内面に嵌合させるとともに、第３蓋部４７を開蓋する。すると、小孔４４のみが開口する。次いで、容器体１の右側を下方に傾斜させれば、小孔４４は第２蓋部４２の右側に形成されているため、錠剤が容易に小孔４４から取り出せる。
【００３８】
複数ないし多数の錠剤を取り出すには、図５および図６に示すように、第２蓋部４２を開蓋する。その際、第３蓋部４７は第２蓋部４２に閉蓋することで折り畳む。
【００３９】
容器体３０内に錠剤を補充する場合も、図５および図６と同様で、錠剤の補充は大孔３９を利用して行う。
【００４０】
錠剤の取出しも補充も行わない場合には、図７および図８に示すように、まず、第２蓋部４２を蓋板３６に対して閉蓋した後、第３蓋部４７を第２蓋板４２に対して閉蓋する。
【００４１】
第３蓋部４７を開蓋するには、切欠部４５に指を挿入して第３蓋部の先端に指を掛ければよく、第２蓋部４２を開蓋するには、凹部４０に指を挿入して第２蓋部４２先端に指を掛ければよい。
【図面の簡単な説明】
【００４２】
【図１】本発明に係る錠剤容器の第１および第２蓋部を開蓋した状態を示す平面図で、２点鎖線は両蓋部を閉じた状態を示すものである。
【図２】図１のＡ−Ａ線に沿う断面図で、２点鎖線は両蓋部を閉じた状態を示すものである。
【図３】第２実施形態を示すもので、第２蓋部を閉蓋した状態を示す平面図である。
【図４】図３の断面図である。
【図５】第２および第３蓋部を開蓋した状態を示す平面図である。
【図６】図５の断面図である。
【図７】第２および第３蓋部を閉蓋した状態を示す平面図である。
【図８】図７の断面図である。
【符号の説明】
【００４３】
１、３０  容器体
２、３１  底壁
３、３２  周壁
６、３５  第１蓋部
７、３６  蓋板
８、３７  第１嵌合筒
１０、４４  小孔
１１、３９  大孔
１２、４０  凹部
１３、１６、４１、４６  薄肉ヒンジ
１４、４２  第２蓋部
１５、４３  第２嵌合筒
１７、４７  第３蓋部
１８、４８  第３嵌合筒
１９、２０  指かけ部
２１、４９  蓋体
【図１】
2008011871.tif 000003
【図２】
2008011871.tif 000004
【図３】
2008011871.tif 000005
【図４】
2008011871.tif 000006
【図５】
2008011871.tif 000007
【図６】
2008011871.tif 000008
【図７】
2008011871.tif 000009
【図８】
2008011871.tif 000010